(57)【特許請求の範囲】
【請求項１】
ネットワークに接続されると、予め設定された識別番号が含まれる試験依頼信号を発信するネットワーク装置を試験するためのネットワーク装置試験システムであって、前記ネットワークを介して前記ネットワーク装置と通信可能な設定サーバおよび監視サーバと、前記監視サーバに接続される上位サーバと、を有し、
前記上位サーバは、予め定められた試験内容を前記ネットワーク装置に実行させる試験信号を、前記設定サーバの制御に基づいて前記監視サーバへ送信する第１の制御部を有し、
前記監視サーバは、前記試験依頼信号を検知して前記設定サーバへ送信し、前記試験信号を前記設定サーバの制御に基づいて前記ネットワーク装置へ送信する第２の制御部を有し、
前記設定サーバは、
前記ネットワークにおいて識別可能な複数のＩＰアドレスを格納する記憶部と、
前記試験依頼信号を受信するたびに該試験依頼信号を発信したネットワーク装置に対して前記複数のＩＰアドレスのいずれかを割り当てて該ネットワーク装置に設定させるとともに該ネットワーク装置の識別番号およびＩＰアドレスを示す識別情報を生成する処理を行い、その後、前記第１の制御部に前記試験信号を送信させ、前記第２の制御部に前記識別情報を用いて前記試験信号を送信させる第３の制御部と、を有することを特徴とするネットワーク装置試験システム。
【請求項２】
請求項１に記載のネットワーク装置試験システムにおいて、
前記設定サーバは、
前記識別番号を前記記憶部に格納し、
前記第３の制御部が、前記試験依頼信号を受信するたびに該試験依頼信号に含まれる識別信号が前記記憶部に格納されていることを確認してから前記処理を行うことを特徴とするネットワーク装置試験システム。
【請求項３】
ネットワークに接続されると予め定められた識別番号が含まれる試験依頼信号を発信するネットワーク装置を試験するためのネットワーク装置試験方法であって、
前記ネットワークにおいて識別可能な複数のＩＰアドレスを生成し、
前記試験依頼信号を検知するたびに該試験依頼信号を発信したネットワーク装置に対して前記複数のＩＰアドレスのいずれかを割り当てて該ネットワーク装置に設定させるとともに該ネットワーク装置の識別番号およびＩＰアドレスを示す識別情報を生成する処理を行い、
予め定められた試験内容を前記ネットワーク装置に実行させる試験信号を、前記識別情報を用いて前記ネットワーク装置へ送信する、
ことを特徴とするネットワーク装置試験方法。
【請求項４】
請求項４に記載のネットワーク装置試験方法において、
前記識別番号を記憶し、
前記試験依頼信号を検知するたびに該試験依頼信号に含まれた識別信号が記憶されていることを確認してから前記処理を行う、ことを特徴とするネットワーク装置試験方法。
【発明の詳細な説明】
【技術分野】
【０００１】
本発明は、ネットワークに接続されると、予め設定された識別番号が含まれる試験依頼信号を発信するネットワーク装置を試験するためのネットワーク装置試験システムおよびネットワーク装置試験方法に関する。
【背景技術】
【０００２】
ネットワークを介して音声やデータの通信を行うネットワーク装置の一つである無線基地局には、ＷｉＦｉ（Ｗｉｒｅｌｅｓｓ  Ｆｉｄｅｌｉｔｙ）として認定されたものやＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）の規格に対応したものがある。そのような無線基地局は、出荷前に、通信環境が擬似的に設けられた試験システムに組み込まれて試験を受けることがある。
【０００３】
無線基地局を試験する場合、試験時間の短縮を目的とした様々な試験システムが提案されており、例えば、特許文献１（特開２０００−６８９４９号公報）に開示されている。
【０００４】
特許文献１に記載の試験システムは、一台の無線基地局の試験を前提としたものであり、パーソナルコンピュータと、試験治具と、シグナリングテスタと、ＢＥＲカウンタとを含む構成である。
【０００５】
なお、無線基地局は、試験治具およびシグナリングテスタのそれぞれとネットワークケーブルを介して接続されている。
【０００６】
特許文献１に記載の試験システムでは、まず、パーソナルコンピュータから発信された試験開始コマンドが試験治具を介して無線基地局に入力される。すると、無線基地局において、試験治具と通信を行うための第１の接続チャンネル、およびシグナリングテスタと通信を行うための第２の接続チャンネルがそれぞれ設定される。
【０００７】
無線基地局において、第１および第２の接続チャンネルがそれぞれ設定されると、予めビットパターンが定められた試験信号が試験治具から第１の接続チャンネルに送出されて、無線基地局に入力される。そして、試験信号は、無線基地局から第２の接続チャンネルに送出されて、シグナリングテスタに入力される。
【０００８】
シグナリングテスタは、入力信号を折り返すように動作モードが設定されているため、試験信号は、第２の接続チャンネル、無線基地局、第１の接続チャンネルの順に伝送され、試験治具に戻ってくる。
【０００９】
特許文献１に記載の試験システムでは、試験治具に試験信号が戻ってくると、ＢＥＲカウンタにおいて、戻ってきた信号のビットパターンと試験信号のビットパターンとが比較され、ビットパターンのエラー率が測定される。測定されたビットパターンのエラー率は、パーソナルコンピュータに通知される。すると、パーソナルコンピュータにおいて、そのビットパターンのエラー率に基づいて試験の合否が判断され、その結果が画面に表示される。
【００１０】
特許文献１に記載の試験システムによれば、無線基地局の試験がパーソナルコンピュータによって管理されており人手を必要とする作業が少ないため、試験時間の短縮が可能となる。
【特許文献１】特開２０００−６８９４９号公報
【発明の開示】
【発明が解決しようとする課題】
【００１１】
特許文献１に記載の試験システムでは、一台の無線基地局しか試験できない。そのため、多くの無線基地局を試験しなければならない場合、試験効率は低いことが考えられる。
【００１２】
本発明は、上述したような問題を解決するためになされたものであり、ネットワーク装置の試験を高効率に行うことが可能なネットワーク装置試験システム、およびネットワーク装置試験方法を提供することを目的とする。
【課題を解決するための手段】
【００１３】
上記目的を達成するための本発明によるネットワーク装置試験システムは、
ネットワークに接続されると、予め設定された識別番号が含まれる試験依頼信号を発信するネットワーク装置を試験するためのネットワーク装置試験システムであって、前記ネットワークを介して前記ネットワーク装置と通信可能な設定サーバおよび監視サーバと、前記監視サーバに接続される上位サーバと、を有し、
前記上位サーバは、予め定められた試験内容を前記ネットワーク装置に実行させる試験信号を、前記設定サーバの制御に基づいて前記監視サーバへ送信する第１の制御部を有し、
前記監視サーバは、前記試験依頼信号を検知して前記設定サーバへ送信し、前記試験信号を前記設定サーバの制御に基づいて前記ネットワーク装置へ送信する第２の制御部を有し、
前記設定サーバは、
前記ネットワークにおいて識別可能な複数のＩＰアドレスを格納する記憶部と、
前記試験依頼信号を受信するたびに該試験依頼信号を発信したネットワーク装置に対して前記複数のＩＰアドレスのいずれかを割り当てて該ネットワーク装置に設定させるとともに該ネットワーク装置の識別番号およびＩＰアドレスを示す識別情報を生成する処理を行い、その後、前記第１の制御部に前記試験信号を送信させ、前記第２の制御部に前記識別情報を用いて前記試験信号を送信させる第３の制御部と、を有する。
【００１４】
また、前記設定サーバは、
前記識別番号を前記記憶部に格納し、
前記第３の制御部が、前記試験依頼信号を受信するたびに該試験依頼信号に含まれる識別信号が前記記憶部に格納されていることを確認してから前記処理を行うこととしてもよい。
【発明の効果】
【００１５】
本発明では、試験対象装置であるネットワーク装置から発信される試験依頼信号が検知されるたびに、設定サーバにより試験依頼信号を発信したネットワーク装置に対してＩＰアドレスが割り当てられ、識別情報が生成される。そして、試験信号は識別情報を用いてネットワーク装置へ送信される。これにより、複数のネットワーク装置それぞれへの試験信号の送信を制御できるため、複数のネットワーク装置を試験することが可能になる。
【００１６】
本発明によれば、複数のネットワーク装置を試験できるため、ネットワーク装置の試験を高効率に行うことが可能となる。
【発明を実施するための最良の形態】
【００１７】
次に、本発明の一実施例について説明する。図１は、本発明によるシステムの一実施例の構成を示す模式図である。
【００１８】
本実施例は、図１に示すように、基地局１１、基地局１２および基地局１３を含む複数の基地局と、端末局２１、端末局２２、端末局２３、および端末局２４を含む複数の端末局と、設定サーバ３１と、監視サーバ３２と、上位サーバ３３と、スイッチングハブ４１と、シミュレータ５１と、を有する。本発明によるシステムは、設定サーバ３１、監視サーバ３２、上位サーバ３３、および、シミュレータ５１により構成される。
【００１９】
なお、設定サーバ３１および監視サーバ３２は、試験用ネットワークを介して複数の基地局と通信可能とされている。
【００２０】
基地局１１〜１３のそれぞれは、例えば、無線基地局であり、本実施例における試験対象装置である。また、基地局１１〜１３のそれぞれは、試験用ネットワークに接続されると、予め設定された識別番号を示すＭＡＣ（Ｍｅｄｉａ  Ａｃｃｅｓｓ  Ｃｏｎｔｒｏｌ）アドレスが含まれる試験依頼信号を発信する。
【００２１】
基地局１１は、ネットワークケーブル６１を介してスイッチングハブ４１に接続され、ネットワークケーブル６４を介してシミュレータ５１に接続されている。
【００２２】
基地局１２は、ネットワークケーブル６２を介してスイッチングハブ４１に接続され、ネットワークケーブル６５を介してシミュレータ５１と接続されている。
【００２３】
基地局１３は、ネットワークケーブル６３を介してスイッチングハブ４１に接続され、ネットワークケーブル６６を介してシミュレータ５１と接続されている。
【００２４】
端末局２１〜２４のそれぞれは、各基地局の通信相手であり、端末局２１は、ネットワークケーブル６７を介してシミュレータ５１に接続されている。また、端末局２２は、ネットワークケーブル６８を介してシミュレータ５１に接続されている。また、端末局２３は、ネットワークケーブル６９を介してシミュレータ５１に接続されている。また、端末局２４は、ネットワークケーブル７０を介してシミュレータ５１に接続されている。
【００２５】
設定サーバ３１は、例えばＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバであり、記憶部８１および制御部８２を含む構成である。また、設定サーバ３１は、ネットワークケーブル７１を介してスイッチングハブ４１に接続されている。
【００２６】
記憶部８１には、予め定められた試験に関する情報が格納されている。その情報には、例えば、試験対象装置のＭＡＣアドレスや、試験用ネットワークにおいて識別可能な複数の試験用ＩＰアドレスなどが含まれる。
【００２７】
制御部８２は、設定サーバ３１の動作を制御する。
【００２８】
監視サーバ３２は、ゲートウェイ機能を有するサーバであり、記憶部８３および制御部８４を含む構成である。また、監視サーバ３２は、ネットワークケーブル７２を介してスイッチングハブ４１に接続され、ネットワークケーブ７３を介して上位サーバ３３と接続されている。
【００２９】
記憶部８３には、監視サーバ３２が各基地局と通信を行うために必要な情報が格納される。
【００３０】
制御部８４は、監視サーバ３２の動作を制御する。
【００３１】
上位サーバ３３は、例えばＦＴＰ（Ｆｉｌｅ  Ｔｒａｎｓｆｅｒ  Ｐｒｏｔｏｃｏｌ）サーバやストリーミングサーバであり、記憶部８５および制御部８６を含む構成である。
【００３２】
記憶部８５は、各基地局の試験を行うために必要な試験ツールを格納する。試験ツールには、例えば、あるＩＰアドレスがネットワーク上に存在するか確認する動作であるｐｉｎｇや、ＵＤＰ（ HYPERLINK "http://www.sophia-it.com/content/User+Datagram+Protocol" \o "User Datagram Protocol" Ｕｓｅｒ  Ｄａｔａｇｒａｍ  Ｐｒｏｔｏｃｏｌ）による通信を行うためのツールなどが含まれる。
【００３３】
制御部８６は、上位サーバ３３の動作を制御する。
【００３４】
スイッチングハブ４１は、各基地局と設定サーバ３１および監視サーバ３２間のデータ伝送、および設定サーバ３１と監視サーバ３２間のデータ伝送を行うためのものであり、複数のポートを備えている。
【００３５】
シミュレータ５１は、各基地局と各端末局による無線通信を模擬するためのものであり、試験内容に応じて、入力信号に対する周期的な強弱の変化（フェージング）や位相変化を行ったり、基地局と端末局の接続の切り替えを行ったりする。
【００３６】
次に、本発明によるシステムの動作について説明する。
【００３７】
図２は、本発明によるシステムの動作手順を示すフローチャートである。
【００３８】
まず、監視サーバ３２の制御部８４が、基地局から発信される試験依頼信号を検知したか否か判定する（ステップＳ１）。試験依頼信号が制御部８４に検知されると、その試験依頼信号を発信した基地局が試験を受けられるようにするための設定処理が行われる（ステップＳ２）。
【００３９】
次に、ステップＳ２の動作について、図３を参照しながら詳しく説明する。なお、ここでは、基地局１１から発信された試験依頼信号が制御部８４に検知されたことにする。
【００４０】
制御部８４は、検知した試験依頼信号を設定サーバ３１に送信する（ステップＳ２１）。すると、制御部８２は、試験依頼信号に含まれたＭＡＣアドレスが記憶部８１に登録されているか否か確認する（ステップＳ２２）。
【００４１】
制御部８２は、ＭＡＣアドレスが記憶部８１に登録されていることを確認すると、記憶部８１に格納されている複数の試験用ＩＰアドレスの中から基地局１１に割り当てる試験用ＩＰアドレスを決定して、基地局１１へ送信する（ステップＳ２３）。
【００４２】
続いて、制御部８２は、基地局１１のＭＡＣアドレスおよび試験用ＩＰアドレスを示す識別情報を監視サーバ３２へ送信する（ステップＳ２４）。すると、制御部８４は、その識別情報を記憶部８３に格納する（ステップＳ２５）。
【００４３】
基地局１１は、設定サーバ３１からの試験用ＩＰアドレスを受信すると、その試験用ＩＰアドレスの設定を行う（ステップＳ２６）。このとき、試験用ＩＰアドレスと異なるＩＰアドレスが既に設定されている場合、基地局１１は、そのＩＰアドレスを記憶手段に格納するとともに試験用ＩＰアドレスに更新する処理を行う。
【００４４】
試験用ＩＰアドレスの設定処理が終了すると、基地局１１は、その旨を示す通知を監視サーバ３２へ送信する（ステップＳ２７）。すると、制御部８４は、通信可能な状態への移行を許可する旨を示す許可通知を基地局１１へ送信する（ステップＳ２８）。基地局１１は、許可通知を受信すると、通信可能な状態への移行処理を行う（ステップＳ２９）。
【００４５】
ステップＳ２１からステップＳ２９までの動作を経て、ステップＳ２の動作が終了する。
【００４６】
基地局１２および基地局１３に対しても基地局１１の場合と同様にして試験用ＩＰアドレスが割り当てられ識別情報が生成される。すなわち、ステップＳ２１からステップＳ２９までの動作は、試験依頼信号が制御部８４に検知されるたびに繰り返し行われる。
【００４７】
設定処理が終了すると、試験用ＩＰアドレスが割り当てられた基地局に対する試験処理が行われる（ステップＳ３）。
【００４８】
次に、ステップＳ３の動作について、図３を参照しながら詳しく説明する。なお、ここでは、基地局１１を試験する場合について説明する。
【００４９】
制御部８２は、ステップＳ２４において基地局１１の識別情報を監視サーバ３２へ送信してから所定の時間が経過すると、基地局１１へ試験信号を送信する旨を示す制御信号を監視サーバ３２へ送信する（ステップＳ３１）。すると、制御部８４は、その制御信号を上位サーバ３３へ中継する（ステップＳ３２）。
【００５０】
制御部８６は、制御信号を受信すると、記憶部８５に格納されている試験ツールを用いて生成した試験信号を監視サーバ３２へ向けて発信する（ステップＳ３３）。なお、試験信号には、映像データや音声データなども含まれる。
【００５１】
制御部８４は、受信した試験信号を、基地局１１へ中継する（ステップＳ３４）。
【００５２】
基地局１１は、受信した試験信号を、ネットワークケーブル６４を介してシミュレータ５１へ送信する（ステップＳ３５）。すると、シミュレータ５１は、その試験信号を、基地局１１との通信相手として予め定められた端末局へネットワークケーブルを介して送信する。なお、本実施例では、基地局１１の通信相手は端末局２１となるように予め定められている。
【００５３】
端末局２１は、ネットワークケーブル６７を介して試験信号を受信すると、応答信号を、ケーブル６７を介してシミュレータ５１へ送信する。シミュレータ５１は、その応答信号を、ケーブル６４を介して基地局１１へ送信する。
【００５４】
基地局１１は、受信した応答信号を監視サーバ３２へ送信する（ステップＳ３６）。制御部８４は、その応答信号を上位サーバ３３へ中継する（ステップＳ３７）。すると、制御部８６が、その応答信号の解析により得られた試験結果を監視サーバ３２へ送信する（ステップＳ３８）。
【００５５】
制御部８４は、受信した試験結果を設定サーバ３１へ送信する（ステップＳ３９）。すると、制御部８２が受信した試験結果に対して試験の合否を判定する（ステップＳ４０）。
【００５６】
ステップＳ３１からステップＳ４０までの動作は、予め定められた試験が終了するまで繰り返し行われる。
【００５７】
また、ステップＳ３１からステップＳ４０までの動作は、設定処理が終了した基地局から順に並行して行われるため、基地局１１が試験の途中であっても基地局１２および基地局１３の試験は行われることとなる。
【００５８】
また、制御部８２は、試験が終了した基地局に対して試験用ネットワークから切り離す処理を行わせる。
【００５９】
なお、試験の途中であっても、オペレータの操作により試験の終了を示すコマンドが制御部８４から特定の基地局へ送信された場合に、そのコマンドを受信した基地局が試験用ネットワークから切り離す処理を実行することにしてもよい。この場合、オペレータが試験を強制的に終了させることが可能となる。
【００６０】
本実施例では、無線通信を模擬した通信環境で試験を行う場合について説明したが、例えば、図４に示すような無線通信環境で試験を行うために、システムを図５に示すようなシミュレータ５１を省いた構成とすることにしてもよい。この場合、実際の通信環境に即した試験を行うことが可能となる。
【００６１】
図４に示す通信エリア１０１は、基地局１１が無線通信を行うときの通信エリアであり、端末局２１がその通信エリア内に配置されている。通信エリア１０２は、基地局１２が無線通信を行うときの通信エリアであり、端末局２３がその通信エリア内に配置されている。通信エリア１０３は、基地局１３が無線通信を行うときの通信エリアであり、端末局２４がその通信エリア内に配置されている。端末局２２は、通信エリア１０１と通信エリア１０２とが重なる通信エリア内に配置されている。
【００６２】
また、本実施例では、複数の無線基地局を試験する場合について説明したが、複数の端末局を試験対象装置とすることにしてもよい。この場合、設定サーバ３１が端末局に割り当てる試験用ＩＰアドレスは、設定サーバ３１から通信相手となる基地局を介して端末局へ送信される。
【００６３】
また、複数の基地局および複数の端末局で構成される通信システムを試験対象とすることにしてもよい。この場合、シミュレータ５１が特定の端末局に対して通信相手の基地局を切り替える動作を行うことにより、移動無線端末との通信で行われているハンドオーバーを模擬的に試験することが可能となる。
【００６４】
なお、試験対象装置は、無線基地局および端末局に限定するものではなく、ネットワークを介して音声やデータの通信を行うネットワーク装置であればよい。
【００６５】
本実施例では、試験対象装置である複数の基地局から発信される試験依頼信号が検知されるたびに、各基地局に対して試験用ＩＰアドレスが割り当てられ、識別情報が生成される。そして、試験信号は識別情報を用いて各基地局へそれぞれ送信される。これにより、複数の基地局それぞれへの試験信号の送信を制御できるため、複数の基地局を試験することが可能になる。
【００６６】
本実施例によれば、複数の基地局を試験できるため、基地局の試験を高効率に行うことが可能となる。
【００６７】
また、本実施例では、試験依頼信号に含まれるＭＡＣアドレスが設定サーバ３１に登録されているか確認してから試験用ＩＰアドレスの割り当てが行われる。これにより、試験依頼信号を発信した基地局が試験対象装置であるかの確認が行われるため、基地局の試験をより確実に行うことが可能となる。
【図面の簡単な説明】
【００６８】
【図１】本発明によるシステムの一実施例の構成を示す模式図である。
【図２】本発明によるシステムの動作手順を示すフローチャートである。
【図３】本発明によるシステムの動作を説明するための説明図である。
【図４】本発明によるシステムの他の実施例を説明するための説明図である。
【図５】本発明によるシステムの他の実施例の構成を示す模式図である。
【符号の説明】
【００６９】
１１〜１３  基地局
２１〜２４  端末局
３１  設定サーバ
３２  監視サーバ
３３  上位サーバ
４１  スイッチングハブ
５１  シミュレータ
【図１】
0004336822.tif 000002
【図２】
0004336822.tif 000003
【図３】
0004336822.tif 000004
【図４】
0004336822.tif 000005
【図５】
0004336822.tif 000006